(57)【要約】    【課題】居室親機及び無線親機の間の無線通信手段として安価で通信レートの低い手段を適用し、玄関子機のカメラにて撮像された映像を、コマ落ちのない高解像度の動画映像で無線親機のメモリに録画してモニタ再生する。    【解決手段】無線親機３ａとの間で無線通信を行うことができる居室親機２の親機ＣＰＵ２０８は、この無線通信の動作の有無を検出し、無線通信が行われていると判断すると、玄関子機１ａのカメラ１０１にて撮像された高解像度の動画映像を、低解像度の動画映像として無線親機に無線通信で送信し、無線親機モニタ３００にリアルタイムで出画することができる。一方、無線通信が行われていないと判断すると、玄関子機のカメラにて撮像され居室親機の親機メモリ２０３に予め録画されている高解像度の動画映像、又は玄関子機のカメラにて撮像され子機メモリ１０２に予め録画されている高解像度の動画映像を読み出して無線親機に無線通信で送信し、無線親機メモリ３０３に録画する。  【選択図】図１
2008252271.tif 000002
【特許請求の範囲】
【請求項１】
カメラ（１０１）を有する玄関子機（１ａ）と、前記玄関子機のカメラにて撮像された映像を出画するための親機モニタ（２００）を有する居室親機（２）と、前記居室親機との間で無線通信を行い、前記玄関子機のカメラにて撮像された映像を、前記居室親機を経由して出画するための無線親機モニタ（３００）を有する無線親機（３ａ）とを備え、
前記居室親機及び前記無線親機はそれぞれ、前記玄関子機のカメラにて撮像された映像を動画映像で録画するための親機メモリ（２０３）及び無線親機メモリ（３０３）を有し、
前記居室親機には、当該居室親機及び前記無線親機の間における無線通信の動作の有無を検出し、前記無線通信が行われていないとき、前記親機メモリに録画された動画映像を、無線通信で前記無線親機に伝送させるための親機ＣＰＵ（２０８）を備え、
前記無線親機には、前記居室親機の親機ＣＰＵの制御により無線通信で伝送されてくる動画映像を、前記無線親機メモリに録画させるとともに、前記無線親機モニタに出画させるための無線親機ＣＰＵ（３０６）を備えたことを特徴とするテレビドアホン装置。
【請求項２】
カメラ（１０１）を有する玄関子機（１ａ）と、前記玄関子機のカメラにて撮像された映像を出画するための親機モニタ（２００）を有する居室親機（２）と、前記居室親機との間で無線通信を行い、前記玄関子機のカメラにて撮像された映像を、前記居室親機を経由して出画するための無線親機モニタ（３００）を有する無線親機（３ａ）とを備え、
前記玄関子機及び前記無線親機はそれぞれ、当該玄関子機のカメラにて撮像された映像を動画映像で録画するための子機メモリ（１０２）及び無線親機メモリ（３０３）を有し、
前記玄関子機には、前記居室親機及び前記無線親機の間における無線通信の動作の有無を検出し、当該無線通信が行われていないとき、前記子機メモリに録画された動画映像を、前記居室親機を経由して無線通信で前記無線親機に伝送させるための子機ＣＰＵ（１０４）を備え、
前記無線親機には、前記玄関子機の子機ＣＰＵの制御により無線通信で伝送されてくる動画映像を、前記無線親機メモリに録画させるとともに、前記無線親機モニタに出画させるための無線親機ＣＰＵ（３０６）を備えたことを特徴とするテレビドアホン装置。
【請求項３】
カメラ（１０１）を有する玄関子機（１ｂ）と、前記玄関子機との間で無線通信を行い当該玄関子機のカメラにて撮像された映像を出画するための無線親機モニタ（３００）を有する無線親機（３ｂ）とを備え、
前記玄関子機及び前記無線親機はそれぞれ、当該玄関子機のカメラにて撮像された映像を動画映像で録画するための子機メモリ（１０２）及び無線親機メモリ（３０３）を有し、
前記玄関子機には、前記居室親機及び前記無線親機の間における無線通信の動作の有無を検出し、当該無線通信が行われていないとき、前記子機メモリに録画された動画映像を、無線通信で前記無線親機に伝送させるための子機ＣＰＵ（１０６）を備え、
前記無線親機には、前記玄関子機の子機ＣＰＵの制御により無線通信で伝送されてくる動画映像を、前記無線親機メモリに録画させるとともに、前記無線親機モニタに出画させるための無線親機ＣＰＵ（３０６）を備えたことを特徴とするテレビドアホン装置。
【請求項４】
前記無線親機の無線親機メモリへの録画のタイミングは、前記居室親機のモニタボタン（２０１）及び当該無線親機のモニタボタン（３０１）のうち何れかのボタンが操作された時であることを特徴とする請求項１乃至請求項３のうち何れか１項記載のテレビドアホン装置。
【請求項５】
前記無線親機の無線親機メモリへの録画のタイミングは、携帯電話等の外部ネットワーク（４）からの遠隔操作による外部信号の入力時であることを特徴とする請求項１乃至請求項３のうち何れか１項記載のテレビドアホン装置。
【請求項６】
前記玄関子機のカメラは高解像度のカメラ機能を有し、前記無線通信が行われているときは解像度を低下させて動画映像で伝送し、前記無線通信が行われていないときは録画データとして残すために高解像度のデータを伝送し高解像度の動画映像で録画を可能としたことを特徴とする請求項１乃至請求項５のうち何れか１項記載のテレビドアホン装置。
【発明の詳細な説明】
【技術分野】
【０００１】
本発明はテレビドアホン装置に係り、特に、玄関子機のカメラにて撮像された高解像度の映像の録画機能を有するテレビドアホン装置に関する。
【背景技術】
【０００２】
従来から、この種のテレビドアホン装置として、操作端末に対して送信する画像のフレームレートを低下させ、画像の圧縮率を増加させることで、一定時間内に送信する画像のフレーム数および各画像のデータサイズを小さくするので、送信するデータ（画像データ）のパケット量を小さくすることができる撮影装置および撮影システムが開示されている（例えば、特許文献１を参照。）。
【０００３】
この撮影装置および撮影システムによれば、撮像装置の撮影部にて撮影される画像を操作端末に対して送信するにあたり、一時メモリに蓄積されているフレームレートが高解像度である１０ｆｐｓ（frame per second）の画像データを低解像度の画像データに変換することによって、送信遅延時間を縮小させることができる。
【０００４】
【特許文献１】特開２００２−３５４３２９号公報（段落「００７９」乃至「００８１」等）
【発明の開示】
【発明が解決しようとする課題】
【０００５】
背景技術に記載した特許文献１の撮影装置および撮影システムを、映像の撮像／出画／録画機能を有するテレビドアホン装置に適用するにあたって、例えば、映像撮像／録画機能を有する玄関子機にて撮像／録画された映像を、映像出画機能を有する無線親機にて出画するにあたり、１０ｆｐｓの画像データでは、来訪者の映像を視認性の高い画質で確認するに十分でなく、通常、３０ｆｐｓのフレームレートが必要とされている。
【０００６】
本発明は、これらの難点を解消するためになされたもので、居室親機及び無線親機の間、又は玄関子機及び無線親機の間の無線通信手段として安価で通信レートの低い手段を適用し、玄関子機のカメラにて撮像された映像を、コマ落ちのない高解像度の動画映像で無線親機のメモリに録画してモニタ再生することができるテレビドアホン装置を提供することを目的としている。
【課題を解決するための手段】
【０００７】
前述の目的を達成するため、本発明の第１の態様であるテレビドアホン装置は、カメラを有する玄関子機と、玄関子機のカメラにて撮像された映像を出画するための親機モニタを有する居室親機と、居室親機との間で無線通信を行い、玄関子機のカメラにて撮像された映像を、居室親機を経由して出画するための無線親機モニタを有する無線親機とを備えたものである。居室親機及び無線親機はそれぞれ、玄関子機のカメラにて撮像された映像を動画映像で録画するための親機メモリ及び無線親機メモリを有している。居室親機には、当該居室親機及び無線親機の間における無線通信の動作の有無を検出し、無線通信が行われていないとき、親機メモリに録画された動画映像を、無線通信で無線親機に伝送させるための親機ＣＰＵを備えている。無線親機には、居室親機の親機ＣＰＵの制御により無線通信で伝送されてくる動画映像を、無線親機メモリに録画させるとともに、無線親機モニタに出画させるための無線親機ＣＰＵを備えている。
【０００８】
また、本発明の第２の態様であるテレビドアホン装置は、カメラを有する玄関子機と、玄関子機のカメラにて撮像された映像を出画するための親機モニタを有する居室親機と、居室親機との間で無線通信を行い、玄関子機のカメラにて撮像された映像を、居室親機を経由して出画するための無線親機モニタを有する無線親機とを備えたものである。玄関子機及び無線親機はそれぞれ、当該玄関子機のカメラにて撮像された映像を動画映像で録画するための子機メモリ及び無線親機メモリを有している。玄関子機には、居室親機及び無線親機の間における無線通信の動作の有無を検出し、当該無線通信が行われていないとき、子機メモリに録画された動画映像を、居室親機を経由して無線通信で無線親機に伝送させるための子機ＣＰＵを備えている。無線親機には、玄関子機の子機ＣＰＵの制御により無線通信で伝送されてくる動画映像を、無線親機メモリに録画させるとともに、無線親機モニタに出画させるための無線親機ＣＰＵを備えている。
【０００９】
また、本発明の第３の態様であるテレビドアホン装置は、カメラを有する玄関子機と、玄関子機との間で無線通信を行い当該玄関子機のカメラにて撮像された映像を出画するための無線親機モニタを有する無線親機とを備えたものである。玄関子機及び無線親機はそれぞれ、当該玄関子機のカメラにて撮像された映像を動画映像で録画するための子機メモリ及び無線親機メモリを有している。玄関子機には、居室親機及び無線親機の間における無線通信の動作の有無を検出し、当該無線通信が行われていないとき、子機メモリに録画された動画映像を、無線通信で無線親機に伝送させるための子機ＣＰＵを備えている。無線親機には、玄関子機の子機ＣＰＵの制御により無線通信で伝送されてくる動画映像を、無線親機メモリに録画させるとともに、無線親機モニタに出画させるための無線親機ＣＰＵを備えている。
【００１０】
また、本発明の第４の態様であるテレビドアホン装置は、本発明の第１の態様乃至第３の態様において、無線親機の無線親機メモリへの録画のタイミングは、当該居室親機のモニタボタン及び当該無線親機のモニタボタンのうち何れかのボタンが操作された時である。
【００１１】
また、本発明の第５の態様であるテレビドアホン装置は、本発明の第１の態様乃至第３の態様において、無線親機の無線親機メモリへの録画のタイミングは、携帯電話等の外部ネットワークからの遠隔操作による外部信号の入力時である。
【００１２】
また、本発明の第６の態様であるテレビドアホン装置は、本発明の第１の態様乃至第５の態様において、玄関子機のカメラは高解像度の撮像機能を有し、無線通信が行われているときは解像度を低下させて動画映像で伝送し、無線通信が行われていないときは録画データとして残すために高解像度のデータを伝送し高解像度の動画映像で録画を可能としている。
【発明の効果】
【００１３】
本発明のテレビドアホン装置によれば、無線親機との間で無線通信を行うことができる居室親機の親機ＣＰＵは、この無線通信の動作の有無を検出し、無線通信が行われていると判断すると、玄関子機のカメラにて撮像された高解像度の動画映像を、低解像度の動画映像として無線親機に無線通信で送信し、無線親機モニタにリアルタイムで出画することができる。一方、無線通信が行われていないと判断すると、玄関子機のカメラにて撮像され居室親機の親機メモリに予め録画されている高解像度の動画映像、又は玄関子機のカメラにて撮像され子機メモリに予め録画されている高解像度の動画映像を読み出して無線親機に無線通信で送信し、無線親機メモリに録画することができる。これにより、居室親機及び無線親機の間の無線通信手段として安価で通信レートの低い手段を適用することができ、玄関子機のカメラにて撮像された映像を、コマ落ちのない高解像度の動画映像で無線親機のメモリに録画することから、低解像度の動画映像を無線親機メモリに録画せずに録画機能を有効に活用でき、コマ落ちのない高解像度の動画映像をモニタ再生することによって視認性も高められる。
【００１４】
また、本発明のテレビドアホン装置によれば、無線親機との間で無線通信を行うことができる玄関子機の子機ＣＰＵは、この無線通信の動作の有無を検出し、無線通信が行われていると判断すると、当該玄関子機のカメラにて撮像された高解像度の動画映像を、低解像度の動画映像として無線親機に無線通信で送信し、無線親機モニタにリアルタイムで出画することができる。一方、無線通信が行われていないと判断すると、当該玄関子機のカメラにて撮像され子機メモリに予め録画されている高解像度の動画映像を読み出して無線親機に無線通信で送信し、無線親機メモリに録画することができる。これにより、玄関子機及び無線親機の間の無線通信手段として安価で通信レートの低い当該手段を適用することができ、玄関子機のカメラにて撮像された映像を、コマ落ちのない高解像度の動画映像で無線親機のメモリに録画することから、低解像度の動画映像を無線親機メモリに録画せずに録画機能を有効に活用でき、コマ落ちのない高解像度の動画映像をモニタ再生することによって視認性も高められる。
【００１５】
また、本発明のテレビドアホン装置によれば、居室親機のモニタボタンの操作、無線親機のモニタボタンの操作、外部ネットワークからの遠隔操作のうち何れかの当該操作の検出のタイミングで、玄関子機のカメラにて撮像されている高解像度の動画映像を読み出して無線親機に無線通信で送信し、無線親機メモリに録画することができる。これにより、居室親機及び無線親機の間の無線通信手段の無線通信手段として、又は、玄関子機及び無線親機の間の無線通信手段として、安価で通信レートの低い手段を適用することができ、玄関子機のカメラにて撮像された映像を、コマ落ちのない高解像度の動画映像で無線親機のメモリに録画することから、伝送遅延によりモニタ再生がリアルタイムにならないというデメリットがあるものの、コマ落ちのない高解像度の動画映像をモニタ再生することによって視認性が高められる。
【発明を実施するための最良の形態】
【００１６】
以下、本発明のテレビドアホン装置を適用した最良の実施の形態例について、図面を参照して説明する。
【００１７】
図１は、本発明の第１の実施例によるテレビドアホン装置の具体的な構成を示すブロック図である。このテレビドアホン装置は、玄関等の住戸外に設置される玄関子機１ａと、部屋等の住戸内に設置され伝送路Ｌを経由して玄関子機１ａに接続される居室親機２と、居室親機２とともに住戸内に設置され当該居室親機との間で無線通信を行うための無線親機３ａとで構成されており、居室親機２には、携帯電話等の外部ネットワーク４が接続されている。
【００１８】
このテレビドアホン装置において、玄関子機１ａには、呼出ボタン１００、カメラ１０１、メモリ（以下、子機メモリという。）１０２、伝送回路（以下、子機Ｉ／Ｆという。）１０３及びＣＰＵ（以下、子機ＣＰＵという。）１０４が備えられている。ここで、呼出ボタン１００は、子機ＣＰＵ１０４により操作検出され、住戸外に居る来訪者が住戸内に在室中の居住者を呼び出すために操作するものである。また、カメラ１０１は、子機ＣＰＵ１０４により制御され、呼出操作を行った来訪者の映像や住戸外の周囲近傍の映像を高解像度で撮像するためのものであり、例えば、ＣＣＤ、ＣＭＯＳ等の各種の撮像媒体が好適とされる。また、子機メモリ１０２は、子機ＣＰＵ１０４により制御され、カメラ１０１にて撮像された映像を動画映像で録画するためのものであり、例えば、ＲＡＭ、ＥＥＰＲＯＭ等の各種の記憶媒体が好適とされる。また、子機Ｉ／Ｆ１０３は、子機ＣＰＵ１０４及び伝送路Ｌの間の信号伝送ラインを形成するためのものである。さらに、子機ＣＰＵ１０４は、当該玄関子機を構成する前述の各部／回路を制御するためのものである。なお、玄関子機１ａには、前述の各部／回路の他に、通常、来訪者が居住者との間で通話を成立させるための通話機能（図示せず。）を備えることができる。
【００１９】
居室親機２には、モニタ（以下、親機モニタという。）２００、モニタボタン（以下、親機モニタボタンという。）２０１、再生ボタン（以下、親機再生ボタンという。）２０２、メモリ（以下、親機メモリという。）２０３、映像再生回路（以下、親機映像再生回路という。）２０４、子機側伝送回路（以下、子機側親機Ｉ／Ｆという。）２０５、無線伝送回路（以下、親機無線Ｉ／Ｆという。）２０６、外部ネットワーク側伝送回路（以下、外部側親機Ｉ／Ｆという。）２０７及びＣＰＵ（以下、親機ＣＰＵという。）２０８が備えられている。ここで、親機モニタ２００は、親機ＣＰＵ２０８により制御され、玄関子機１ａのカメラ１０１にて撮像された映像をリアルタイムで出画するとともに、親機メモリ２０３から読み出される動画映像を再生するためのものであり、例えば、ＬＣＤ、ＰＤＰ、有機ＥＬディスプレイ等の各種の出画媒体が好適とされる。また、親機モニタボタン２０１は、親機ＣＰＵ２０８により操作検出され、親機メモリ２０３から読み出される動画映像を無線通信で無線親機３ａに送信するためのトリガとなるものである。また、親機再生ボタン２０２は、親機ＣＰＵ２０８により操作検出され、親機モニタ２００を駆動させて親機メモリ２０３から読み出される動画映像を再生するためのトリガとなるものである。また、親機メモリ２０３は、親機ＣＰＵ２０８により制御され、玄関子機１ａのカメラ１０１にて撮像された映像を動画映像で録画するためのものであり、例えば、ＲＡＭ、ＥＥＰＲＯＭ等の各種の記憶媒体が好適とされる。また、親機映像再生回路２０４は、親機ＣＰＵ２０８により制御され、玄関子機１ａのカメラ１０１にて撮像された映像をリアルタイムで親機モニタ２００に出画させる、又は親機メモリ２０３から読み出される動画映像を親機モニタ２００に再生させるためのものである。また、子機側親機Ｉ／Ｆ２０５は、親機ＣＰＵ２０８及び伝送路Ｌの間の信号伝送ラインを形成するためのものである。また、親機無線Ｉ／Ｆ２０６は、親機ＣＰＵ２０８及び無線親機３の後述する無線伝送回路３０５の間の無線通信による信号伝送ラインを形成するためのものである。また、外部側親機Ｉ／Ｆ２０７は、親機ＣＰＵ２０８及び外部ネットワーク４の間の信号伝送ラインを形成するためのものである。さらに、親機ＣＰＵ２０８は、当該居室親機を構成する前述の各部／回路を制御するためのものである。なお、居室親機２には、前述の各部／回路の他に、通常、当該居室親機の使用者である居住者が来訪者からの呼び出しに応答して通話を成立させるための通話機能（図示せず。）と、当該居室親機の使用者である居住者が無線親機３ａの使用者である（他の）居住者との間で内線による呼び出しを行い、通話を成立させるための内線呼び出し・通話機能（図示せず。）とを備えることができる。
【００２０】
無線親機３ａには、モニタ（以下、無線親機モニタという。）３００、モニタボタン（以下、無線親機モニタボタンという。）３０１、再生ボタン（以下、無線親機再生ボタンという。）３０２、メモリ（以下、無線親機メモリという。）３０３、映像再生回路（以下、無線親機映像再生回路という。）３０４、無線伝送回路（以下、無線親機Ｉ／Ｆという。）３０５及びＣＰＵ（以下、無線親機ＣＰＵという。）３０６が備えられている。ここで、無線親機モニタ３００は、無線親機ＣＰＵ３０６により制御され、玄関子機１ａのカメラ１０１にて撮像された映像をリアルタイムで出画するとともに、無線親機メモリ３０３から読み出される動画映像を再生するためのものであり、例えば、ＬＣＤ、ＰＤＰ、有機ＥＬディスプレイ等の各種の出画媒体が好適とされる。また、無線親機モニタボタン３０１は、無線親機ＣＰＵ３０６により操作検出され、玄関子機１ａの子機メモリ１０２から動画映像を読み出し、居室親機２を経由して当該無線親機に送信させるためのトリガ、又は居室親機２の親機メモリ２０３から動画映像を読み出して無線通信で当該無線親機に送信させるためのトリガとなるものである。また、無線親機再生ボタン３０２は、無線親機ＣＰＵ３０６により操作検出され、無線親機モニタ３００を駆動させて無線親機メモリ３０３から読み出される動画映像を再生するためのものトリガとなるものである。また、無線親機メモリ３０３は、無線親機ＣＰＵ３０６により制御され、玄関子機１ａのカメラ１０１にて撮像された映像であり、当該玄関子機の子機メモリ１０２又は居室親機２の親機メモリ２０３から読み出された動画映像を録画するためのものであり、例えば、ＲＡＭ、ＥＥＰＲＯＭ等の各種の記憶媒体が好適とされる。また、無線親機映像再生回路３０４は、無線親機ＣＰＵ３０６により制御され、玄関子機１ａのカメラ１０１にて撮像された映像をリアルタイムで無線親機モニタ３００に出画させる、又は無線親機メモリ３０３から読み出される動画映像を無線親機モニタ３００に再生させるためのものである。また、無線親機Ｉ／Ｆ３０５は、無線親機ＣＰＵ３０６及び居室親機２の親機無線Ｉ／Ｆ２０６の間の無線通信による信号伝送ラインを形成するためのものである。さらに、無線親機ＣＰＵ３０６は、当該無線親機を構成する前述の各部／回路を制御するためのものである。なお、無線親機３ａには、前述の各部／回路の他に、通常、当該無線親機の使用者である居住者が来訪者からの呼び出しに応答して通話を成立させるための通話機能（図示せず。）と、当該無線親機の使用者である居住者が居室親機２の使用者である（他の）居住者との間で内線による呼び出しを行い、通話を成立させるための内線呼び出し・通話機能（図示せず。）とを備えることができる。
【００２１】
このように構成された本発明の第１の実施例によるテレビドアホン装置において、以下、具体的な動作について、図面を参照して説明する。
【００２２】
図１において、住戸内に在室中の居住者を呼び出すために、住戸外に居る来訪者が玄関子機１ａの呼出ボタン１００を操作すると、この操作を検出した子機ＣＰＵ１０４は、呼出信号Ｓ1を生成し、子機Ｉ／Ｆ１０３、伝送路Ｌ、居室親機２の子機側親機Ｉ／Ｆ２０５を経由して親機ＣＰＵ２０８に送出するとともに、カメラ１０１を駆動させて撮像状態に制御し、さらには子機メモリ１０２を書き込み及び読み出し可能な状態に制御する。このカメラ１０１は、呼出操作を行った来訪者の映像や住戸外の周囲近傍の映像の撮像を開始し、フレームレートが例えば、高解像度の３０ｆｐｓである動画映像の映像信号Ｓ2を生成する。また、カメラ１０１にて生成された映像信号Ｓ2は、子機メモリ１０２に所定の時間録画される、例えば、１０秒間録画される、すなわち、３００フレーム分の動画映像として録画されるとともに、リアルタイムの動画映像として子機メモリ１０２から読み出された後、子機ＣＰＵ１０４から子機Ｉ／Ｆ１０３、伝送路Ｌ、居室親機２の子機側親機Ｉ／Ｆ２０５を経由して親機ＣＰＵ２０８に伝送される。
【００２３】
居室親機２の親機ＣＰＵ２０８は、呼出信号Ｓ1を受信して来訪者による呼び出しがあることを検出すると、親機モニタ２００を駆動させるとともに親機映像再生回路２０４を制御して、受信した映像信号Ｓ2を、フレームレートが例えば、高解像度の３０ｆｐｓである動画映像として親機モニタ２００にリアルタイムで出画させることができる。また、親機ＣＰＵ２０８は、親機メモリ２０３を書き込み及び読み出し可能な状態に制御し、受信した映像信号Ｓ2を所定の時間、例えば、１０秒間録画させる、すなわち、３００フレーム分の動画映像として録画させる。また、親機ＣＰＵ２０８は、受信した呼出信号Ｓ1を、親機無線Ｉ／Ｆ２０６にて無線信号Ｓ1aに変換させた後、無線親機３ａの無線親機Ｉ／Ｆ３０５に無線通信で送信する。さらに、親機ＣＰＵ２０８は、前述の呼出信号Ｓ1aの送信のように当該居室親機及び無線親機３ａの間における無線通信の動作が行われていることを検出し、親機メモリ２０３から読み出した映像信号Ｓ2をリアルタイムの動画映像として、親機無線Ｉ／Ｆ２０６にて無線信号Ｓ2aに変換させた後、無線親機３ａの無線親機Ｉ／Ｆ３０５に無線通信で送信する。
【００２４】
無線親機３ａの無線親機Ｉ／Ｆ３０５は、居室親機２から無線通信で送信されてきた無線信号Ｓ1a、Ｓ2aを、電気信号である呼出信号Ｓ1、映像信号Ｓ2にそれぞれ変換した後、無線親機ＣＰＵ３０６に送出する。
【００２５】
無線親機３ａの無線親機ＣＰＵ３０６は、呼出信号Ｓ1を受信して来訪者による呼び出しがあることを検出すると、無線親機メモリ３０３を書き込み可能な状態に制御する。また、無線親機ＣＰＵ３０６は、前述の呼出信号Ｓ1aの送信のように当該居室親機及び無線親機の間における無線通信の動作が行われていることを検出し、映像信号Ｓ2を受信するにあたり当該映像信号に割り当てられる通信レートが低く１秒間に３０フレーム全てを受信できないため、無線親機映像再生回路３０４を制御し、当該玄関子機のカメラ１０１にて生成された映像信号Ｓ2を、フレームレートが例えば、間引き処理された低解像度の５ｆｐｓである動画映像の映像信号Ｓ2bとして、無線親機モニタ３００にリアルタイムで出画させることができる。
【００２６】
なお、居室親機２の親機モニタ２００に高解像度の映像で出画されている来訪者の映像をもとに当該来訪者からの呼び出しを確認した当該居室親機の使用者である居住者、及び無線親機３ａの無線親機モニタ３００に低解像度の映像で出画されている来訪者の映像をもとに当該来訪者からの呼び出しを確認した当該無線親機の使用者である居住者のうち、最先に応答した居住者が適宜に応答すると、来訪者との間で通話を成立させることができる（詳述せず。）。ここで、無線親機３ａの使用者である居住者が最先に応答した当該居住者であった場合、無線親機モニタ３００に出画されている来訪者の映像が間引き処理された動画映像であるものの、フレームレートが５ｆｐｓで確保されているため、通常、来訪者の判別に困ることはない。
【００２７】
次に、前述の呼出信号Ｓ1aの送信のような居室親機２及び無線親機３ａの間における無線通信の動作が行われていない、すなわち、玄関子機１ａの呼出ボタン１００が操作されたのにも拘らず、当該居室親機の使用者である居住者及び当該無線親機の使用者である居住者のうち何れの居住者も応答せず当該呼び出しが放置されて一定時間が経過したとき、或いは、当該居室親機の使用者である居住者及び当該無線親機の使用者である居住者のうち何れかの居住者が応答した後に終話したとき、これを検出した親機ＣＰＵ２０８は、親機メモリ２０３に予め録画されている映像信号Ｓ2を読み出し、親機無線Ｉ／Ｆ２０６にて無線信号Ｓ2aに変換させた後、無線通信の動作が行われていない待受状態の空き時間を使用して無線親機３ａの無線親機Ｉ／Ｆ３０５に無線通信で送信する。
【００２８】
無線親機３ａの無線親機Ｉ／Ｆ３０５は、居室親機２から無線通信で送信されてきた無線信号Ｓ2aを、電気信号である映像信号Ｓ2に変換した後、無線親機ＣＰＵ３０６に送出する。
【００２９】
無線親機３ａの無線親機ＣＰＵ３０６は、映像信号Ｓ2を受信すると、無線親機メモリ３０３を書き込み可能な状態に制御する。また、無線親機ＣＰＵ３０６は、当該居室親機及び無線親機の間における無線通信の動作が行われていない待受状態の空き時間を使用して映像信号Ｓ2aが伝送されてくるため、映像信号Ｓ2を受信するにあたり１秒間に３０フレーム全てを受信でき、フレームレートが例えば、高解像度の３０ｆｐｓである動画映像の映像信号Ｓ2を、無線親機メモリ３０３に所定の時間、例えば、１０秒間録画させる、すなわち、３００フレーム分の動画映像としてコマ落ちのない状態で録画させることができる。
【００３０】
なお、本発明の第１の実施例において、前述までの説明では、呼出信号Ｓ1aの送信のように居室親機２及び無線親機３ａの間における無線通信の動作が行われていないとき、例えば、待受状態のときについて説明したが、この態様に限定されるものではない。例えば、居室親機２の使用者である居住者が親機モニタボタン２０１を操作すると、この操作を検出した親機ＣＰＵ２０８は、親機メモリ２０３に予め録画されている映像信号Ｓ2を読み出し、親機無線Ｉ／Ｆ２０６にて無線信号Ｓ2aに変換させた後、無線親機３ａの無線親機Ｉ／Ｆ３０５に無線通信で送信する。
【００３１】
無線親機３ａの無線親機Ｉ／Ｆ３０５は、居室親機２から無線通信で送信されてきた無線信号Ｓ2aを、電気信号である映像信号Ｓ2に変換した後、無線親機ＣＰＵ３０６に送出する。
【００３２】
無線親機３ａの無線親機ＣＰＵ３０６は、映像信号Ｓ2を受信すると、無線親機メモリ３０３を書き込み可能な状態に制御する。また、無線親機ＣＰＵ３０６は、前述の呼出信号Ｓ1aの送信のように当該居室親機及び無線親機の間における無線通信の動作が行われていないため、この映像信号Ｓ2を受信するにあたり１秒間に３０フレーム全てを受信でき、フレームレートが例えば、高解像度の３０ｆｐｓである動画映像の映像信号Ｓ2を、無線親機メモリ３０３に所定の時間、例えば、１０秒間録画させる、すなわち、３００フレーム分の動画映像としてコマ落ちのない状態で録画させることができる。
【００３３】
また、本発明の第１の実施例において、前述までの説明では、呼出信号Ｓ1aの送信のように居室親機２及び無線親機３ａの間における無線通信の動作が行われていないとき、例えば、待受状態のとき、居室親機２の親機メモリ２０３に予め録画されている映像信号Ｓ2を読み出すための操作として、当該居室親機の使用者である居住者が親機モニタボタン２０１を操作する場合について説明したが、この態様に限定されるものではない。例えば、無線親機３ａの使用者である居住者が無線親機モニタボタン３０１を操作すると、この操作を検出した無線親機ＣＰＵ３０８は、玄関子機１ａのカメラ１０１にて生成される映像信号Ｓ2を読み出すための制御信号Ｓ3を生成する。この制御信号Ｓ3は、無線親機Ｉ／Ｆ３０５にて無線信号Ｓ3aに変換された後、当該居室親機の親機無線Ｉ／Ｆ２０６に無線通信で送信される。
【００３４】
居室親機２の親機無線Ｉ／Ｆ２０６は、無線親機３ａから無線通信で送信されてきた無線信号Ｓ3aを、電気信号である制御信号Ｓ3に変換した後、親機ＣＰＵ２０８に送出する。また、親機ＣＰＵ２０８は、受信した制御信号Ｓ3を、子機側親機Ｉ／Ｆ２０５、伝送路Ｌ、玄関子機１ａの子機Ｉ／Ｆ１０３を経由して子機ＣＰＵ１０４に送出する。
【００３５】
玄関子機１ａの子機ＣＰＵ１０４は、制御信号Ｓ3を受信すると、カメラ１０１を駆動させて撮像状態に制御する。このカメラ１０１は、呼出操作を行った来訪者の映像や住戸外の周囲近傍の映像の撮像を開始し、フレームレートが例えば、高解像度の３０ｆｐｓである動画映像の映像信号Ｓ2を生成する。また、カメラ１０１にて生成された映像信号Ｓ2は、リアルタイムの動画映像として、子機ＣＰＵ１０４から子機Ｉ／Ｆ１０３、伝送路Ｌ、居室親機２の子機側親機Ｉ／Ｆ２０５を経由して親機ＣＰＵ２０８に伝送される。
【００３６】
居室親機２の親機ＣＰＵ２０８は、受信した映像信号Ｓ2を親機無線Ｉ／Ｆ２０６にて無線信号Ｓ2aに変換させた後、無線親機３ａの無線親機Ｉ／Ｆ３０５に無線通信で送信する。
【００３７】
無線親機３ａの無線親機Ｉ／Ｆ３０５は、居室親機２から無線通信で送信されてきた無線信号Ｓ2aを、電気信号である映像信号Ｓ2に変換した後、無線親機ＣＰＵ３０６に送出する。
【００３８】
無線親機３ａの無線親機ＣＰＵ３０６は、映像信号Ｓ2を受信すると、無線親機メモリ３０３を書き込み可能な状態に制御する。また、無線親機ＣＰＵ３０６は、この映像信号Ｓ2を受信するにあたり１秒間に３０フレーム全てを受信でき、フレームレートが例えば、高解像度の３０ｆｐｓである動画映像の映像信号Ｓ2を、無線親機メモリ３０３に所定の時間、例えば、１０秒間録画させる、すなわち、３００フレーム分の動画映像としてコマ落ちのない状態で録画させることができるばかりでなく、受信した映像信号Ｓ2を無線親機モニタ３００に出画させることができる。但し、伝送時間が１０秒以上かかるため、映像信号Ｓ2を無線親機モニタ３００にリアルタイムで出画させることはできず、実時間に対してやや遅れた動画映像として出画されるものの、コマ落ちのない高解像度の動画映像をモニタ再生することによって視認性が高められる。
【００３９】
さらに、本発明の第１の実施例において、前述までの説明では、居室親機２の親機メモリ２０３に予め録画されている映像信号Ｓ2を読み出すための操作として、当該居室親機の使用者である居住者が親機モニタボタン２０１を操作する場合と、当該無線親機の使用者である居住者が無線親機モニタボタン３０１を操作する場合とについてそれぞれ説明したが、何れの態様に限定されるものではない。例えば、外出中の居住者により携行される携帯端末（図示せず。）を使用して所定の操作が行われると、居室親機２の親機メモリ２０３に予め録画されている映像信号Ｓ2を読み出すための外部制御信号Ｓ4が生成され、外部ネットワーク４から当該居室親機の外部側親機Ｉ／Ｆ２０７を経由して親機ＣＰＵ２０８に伝送される。
【００４０】
居室親機２の親機ＣＰＵ２０８は、外部制御信号Ｓ4を受信すると、親機メモリ２０３に予め録画されている映像信号Ｓ2を読み出し、親機無線Ｉ／Ｆ２０６にて無線信号Ｓ2aに変換させた後、無線親機３ａの無線親機Ｉ／Ｆ３０５に無線通信で送信することにより、当該無線親機では、居室親機２の親機モニタボタン２０１又は無線親機モニタボタン３０１が操作された場合と同様、フレームレートが例えば、３０ｆｐｓの高解像度である動画映像の映像信号Ｓ2を、無線親機メモリ３０３に所定の時間、例えば、１０秒間録画させる、すなわち、３００フレーム分の動画映像としてコマ落ちのない状態で録画させることができる。
【００４１】
なお、本発明の第１の実施例において、前述までの説明では、無線親機３ａの無線親機メモリ３０３に録画させる映像信号Ｓ2の読出元の当該メモリとして、居室親機２の親機メモリ２０３を適用したが、この態様に限定されるものではない。例えば、居室親機２の親機モニタボタン２０１の操作により玄関子機１ａの子機ＣＰＵ１０４へと伝送される制御信号（詳述せず。）、無線親機３ａの無線親機モニタボタン３０１の操作により生成され居室親機２を経由して玄関子機１ａの子機ＣＰＵ１０４へと伝送される制御信号Ｓ3、外部ネットワーク４から居室親機２を経由して玄関子機１ａの子機ＣＰＵ１０４へと伝送される外部制御信号Ｓ4のうち、何れか１の当該制御信号を受信した子機ＣＰＵ１０４の制御により子機メモリ１０２から映像信号Ｓ2を読み出すこともでき、この子機メモリ１０２が、無線親機３ａの無線親機メモリ３０３に録画させる映像信号Ｓ2の読出元の当該メモリとなる。
【００４２】
また、前述のように、玄関子機１ａの子機メモリ１０２又は居室親機２の親機メモリ２０３に予め録画されていた映像信号Ｓ2が無線通信で無線親機３ａに送信され、無線親機メモリ３０３に録画された後において、当該無線親機の使用者である居住者が無線親機再生ボタン３０２を操作すると、この操作を検出した無線親機ＣＰＵ３０６は、無線親機モニタ３００を駆動させて出画状態に制御するとともに、無線親機映像再生回路３０４を制御して、無線親機メモリ３０３から読み出した映像信号Ｓ2を、無線親機モニタ３００に再生させることにより、玄関子機１ａのカメラ１０１にて生成された映像信号Ｓ2を、フレームレートが例えば、高解像度の３０ｆｐｓであるコマ落ちのない動画映像として、無線親機モニタ３００に再生させることができ、視認性の高い画質が確保される。
【００４３】
さらに、本発明の第１の実施例において、前述までの説明では、携帯電話等の外部ネットワーク４が接続される機器として居室親機２を適用したが、この態様に限定されるものではない。例えば、図１に破線で示すように、携帯電話等の外部ネットワーク４を無線親機３ａに接続し、当該無線親機に適宜な伝送回路（以下、外部側無線親機Ｉ／Ｆという。）３０７を備えることにより、玄関子機１ａの子機メモリ１０２又は居室親機２の親機メモリ２０３に予め録画されている映像信号Ｓ2を読み出すための外部制御信号Ｓ4を、外部ネットワーク４から無線親機３を経由して居室親機２（の親機ＣＰＵ２０８）、又は外部ネットワーク４から無線親機３、居室親機２を経由して玄関子機１ａ（の子機ＣＰＵ１０４）に伝送させることもできる。
【００４４】
次に、本発明の第２の実施例によるテレビドアホン装置について、図２のブロック図を参照して説明する。なお、図２のブロック図において、前述の第１の実施例において適用された図１のブロック図に示す構成と同一の作用を有する各部／回路については、同一の符号を付与して説明は省略するものとする。
【００４５】
図２に示すテレビドアホン装置は、玄関等の住戸外に設置される玄関子機１ｂと、部屋等の住戸内に設置され玄関子機１ｂとの間で無線通信を行うための無線親機３ｂとで構成されており、無線親機３ｂには、携帯電話等の外部ネットワーク４が接続されている。
【００４６】
このテレビドアホン装置において、玄関子機１ｂには、前述の玄関子機１ａを構成する呼出ボタン１００、カメラ１０１及び子機メモリ１０２と、無線伝送回路（以下、子機無線Ｉ／Ｆという。）１０５と、子機ＣＰＵ１０６とが備えられている。ここで、子機無線Ｉ／Ｆ１０５は、子機ＣＰＵ１０６及び無線親機３ｂの無線親機Ｉ／Ｆ３０５の間の無線通信による信号伝送ラインを形成するためのものである。また、子機ＣＰＵ１０６は、当該玄関子機を構成する前述の各部／回路を制御するためのものである。なお、玄関子機１ｂには、前述の各部／回路の他に、通常、来訪者が居住者との間で通話を成立させるための通話機能（図示せず。）を備えることができる。
【００４７】
無線親機３ｂには、前述の無線親機３ａを構成する無線親機モニタ３００、無線親機モニタボタン３０１、無線親機再生ボタン３０２、無線親機メモリ３０３、無線親機映像再生回路３０４、無線親機Ｉ／Ｆ３０５、無線親機ＣＰＵ３０６及び外部側無線親機Ｉ／Ｆ３０７が備えられている。なお、無線親機Ｉ／Ｆ３０５は、前述の第１の実施例とは異なり、無線親機ＣＰＵ３０６及び玄関子機１ｂの子機無線Ｉ／Ｆ１０５の間の無線通信による信号伝送ラインを形成するためのものである。また、無線親機３ｂには、前述の各部／回路の他に、通常、居住者が来訪者との間で通話を成立させるための通話機能（図示せず。）を備えることができる。
【００４８】
このように構成された本発明の第２の実施例によるテレビドアホン装置において、以下、具体的な動作について、図面を参照して説明する。
【００４９】
図２において、住戸内に在室中の居住者を呼び出すために、住戸外に居る来訪者が玄関子機１ｂの呼出ボタン１００を操作すると、この操作を検出した子機ＣＰＵ１０６は、呼出信号Ｓ11を生成し、子機無線Ｉ／Ｆ１０５にて無線信号Ｓ11aに変換させた後、無線親機３ｂの無線親機Ｉ／Ｆ３０５に無線通信で送信するとともに、カメラ１０１を駆動させて撮像状態に制御し、さらには子機メモリ１０２を書き込み及び読み出し可能な状態に制御する。このカメラ１０１は、呼出操作を行った来訪者の映像や住戸外の周囲近傍の映像の撮像を開始し、フレームレートが例えば、高解像度の３０ｆｐｓである動画映像の映像信号Ｓ12を生成する。また、カメラ１０１にて生成された映像信号Ｓ12は、子機メモリ１０２に所定の時間録画される、例えば、１０秒間録画される、すなわち、３００フレーム分の動画映像として録画される。さらに、子機ＣＰＵ１０６は、前述の呼出信号Ｓ11aの送信のように当該玄関子機及び無線親機３ｂの間における無線通信の動作が行われていることを検出し、子機メモリ１０２から読み出した映像信号Ｓ12をリアルタイムの動画映像として、子機無線Ｉ／Ｆ１０５にて無線信号Ｓ12aに変換させた後、無線親機３ｂの無線親機Ｉ／Ｆ３０５に無線通信で送信する。
【００５０】
無線親機３ｂの無線親機Ｉ／Ｆ３０５は、玄関子機１ｂから無線通信で送信されてきた無線信号Ｓ11a、Ｓ12aを、電気信号である呼出信号Ｓ11、映像信号Ｓ12にそれぞれ変換した後、無線親機ＣＰＵ３０６に送出する。
【００５１】
無線親機３ｂの無線親機ＣＰＵ３０６は、呼出信号Ｓ11を受信して来訪者による呼び出しがあることを検出すると、無線親機メモリ３０３を書き込み可能な状態に制御する。また、無線親機ＣＰＵ３０６は、前述の呼出信号Ｓ11aの送受信のように当該玄関子機及び無線親機の間における無線通信の動作が行われていることを検出し、映像信号Ｓ12を受信するにあたり当該映像信号に割り当てられる通信レートが低く１秒間に３０フレーム全てを受信できないため、無線親機映像再生回路３０４を制御し、当該玄関子機のカメラ１０１にて生成された映像信号Ｓ12を、フレームレートが例えば、間引き処理された５ｆｐｓである低解像度の動画映像として、無線親機モニタ３００にリアルタイムで出画させることができる。
【００５２】
なお、無線親機３ｂの無線親機モニタ３００に低解像度の映像で出画されている来訪者の映像をもとに当該来訪者からの呼び出しを確認した居住者が適宜に応答すると、来訪者との間で通話を成立させることができる（詳述せず。）。ここで、居住者にとっては、無線親機モニタ３００に出画されている来訪者の映像が間引き処理された動画映像であるものの、フレームレートが５ｆｐｓで確保されているため、通常、来訪者の判別に困ることはない。
【００５３】
次に、前述の呼出信号Ｓ11aの送信のような玄関子機１ｂ及び無線親機３ｂの間における無線通信の動作が行われていない、すなわち、玄関子機１ｂの呼出ボタン１００が操作されたのにも拘らず、当該無線親機の使用者である居住者が応答せず当該呼び出しが放置されて一定時間が経過したとき、或いは、当該無線親機の使用者である居住者が応答した後に終話したとき、これを検出した子機ＣＰＵ１０６は、子機メモリ１０２に予め録画されている映像信号Ｓ12を読み出し、子機無線Ｉ／Ｆ１０５にて無線信号Ｓ12aに変換させた後、無線通信の動作が行われていない待受状態の空き時間を使用して無線親機３ｂの無線親機Ｉ／Ｆ３０５に無線通信で送信する。
【００５４】
無線親機３ｂの無線親機Ｉ／Ｆ３０５は、玄関子機１ｂから無線通信で送信されてきた無線信号Ｓ12aを、電気信号である映像信号Ｓ12に変換した後、無線親機ＣＰＵ３０６に送出する。
【００５５】
無線親機３ｂの無線親機ＣＰＵ３０６は、映像信号Ｓ12を受信すると、無線親機メモリ３０３を書き込み可能な状態に制御する。また、無線親機ＣＰＵ３０６は、前述の呼出信号Ｓ11aの送信のように当該玄関子機及び無線親機の間における無線通信の動作が行われていないため、この映像信号Ｓ12を受信するにあたり１秒間に３０フレーム全てを受信でき、フレームレートが例えば、３０ｆｐｓの高解像度である動画映像の映像信号Ｓ12を、無線親機メモリ３０３に所定の時間、例えば、１０秒間録画させる、すなわち、３００フレーム分の動画映像としてコマ落ちのない状態で録画させることができる。
【００５６】
また、本発明の第２の実施例において、前述までの説明では、呼出信号Ｓ11aの送信のように玄関子機１ｂ及び無線親機３ｂの間における無線通信の動作が行われていないとき、例えば、待受状態のときについて説明したが、この態様に限定されるものではない。例えば、無線親機３ｂの使用者である居住者が無線親機モニタボタン３０１を操作すると、この操作を検出した無線親機ＣＰＵ３０８は、玄関子機１ｂのカメラ１０１にて生成される映像信号Ｓ12を読み出すための制御信号Ｓ13を生成する。この制御信号Ｓ13は、無線親機Ｉ／Ｆ３０５にて無線信号Ｓ13aに変換された後、当該玄関子機の子機無線Ｉ／Ｆ１０５に無線通信で送信される。
【００５７】
玄関子機１ｂの子機無線Ｉ／Ｆ１０５は、無線親機３ｂから無線通信で送信されてきた無線信号Ｓ13aを、電気信号である制御信号Ｓ13に変換した後、子機ＣＰＵ１０６に送出する。
【００５８】
玄関子機１ｂの子機ＣＰＵ１０６は、制御信号Ｓ13を受信すると、カメラ１０１を駆動させて撮像状態に制御する。このカメラ１０１は、呼出操作を行った来訪者の映像や住戸外の周囲近傍の映像の撮像を開始し、フレームレートが例えば、高解像度の３０ｆｐｓである動画映像の映像信号Ｓ12を生成する。また、カメラ１０１にて生成された映像信号Ｓ12は、リアルタイムの動画映像として子機ＣＰＵ１０６から子機無線Ｉ／Ｆ１０５に伝送され、当該子機無線Ｉ／Ｆにて無線信号Ｓ12aに変換された後、無線親機３ｂの無線親機Ｉ／Ｆ３０５に無線通信で送信される。
【００５９】
無線親機３ｂの無線親機Ｉ／Ｆ３０５は、玄関子機１ｂから無線通信で送信されてきた無線信号Ｓ12aを、電気信号である映像信号Ｓ12に変換した後、無線親機ＣＰＵ３０６に送出する。
【００６０】
無線親機３ｂの無線親機ＣＰＵ３０６は、映像信号Ｓ12を受信すると、無線親機メモリ３０３を書き込み可能な状態に制御する。また、無線親機ＣＰＵ３０６は、この映像信号Ｓ12を受信するにあたり１秒間に３０フレーム全てを受信でき、フレームレートが例えば、高解像度の３０ｆｐｓである動画映像の映像信号Ｓ12を、無線親機メモリ３０３に所定の時間、例えば、１０秒間録画させる、すなわち、３００フレーム分の動画映像としてコマ落ちのない状態で録画させることができるばかりでなく、受信した映像信号Ｓ12を無線親機モニタ３００に出画させることができる。但し、伝送時間が１０秒以上かかるため、映像信号Ｓ12を無線親機モニタ３００にリアルタイムで出画させることはできず、実時間に対してやや遅れた動画映像として出画されるものの、コマ落ちのない高解像度の動画映像をモニタ再生することによって視認性が高められる。
【００６１】
さらに、本発明の第２の実施例において、前述までの説明では、玄関子機１ｂの子機メモリ１０２に予め録画されている映像信号Ｓ12を読み出すための操作として、当該無線親機の使用者である居住者が無線親機モニタボタン３０１を操作する場合について説明したが、この態様に限定されるものではない。例えば、外出中の居住者により携行される携帯端末（図示せず。）を使用して所定の操作が行われると、玄関子機１ｂの子機メモリ１０２に予め録画されている映像信号Ｓ12を読み出すための外部制御信号Ｓ14が生成され、外部ネットワーク４から当該無線親機の外部側無線親機Ｉ／Ｆ３０７を経由して無線親機ＣＰＵ３０６に伝送される。
【００６２】
無線親機３ｂの無線親機ＣＰＵ３０６は、外部制御信号Ｓ14を受信すると、この外部制御信号Ｓ14を、無線親機Ｉ／Ｆ３０５にて無線信号Ｓ14aに変換させた後、当該玄関子機の子機無線Ｉ／Ｆ１０５に無線通信で送信する。
【００６３】
玄関子機１ｂの子機ＣＰＵ１０６は、外部制御信号Ｓ4を受信すると、子機メモリ１０２に予め録画されている映像信号Ｓ12を読み出し、子機無線Ｉ／Ｆ１０５にて無線信号Ｓ12aに変換させた後、無線親機３ｂの無線親機Ｉ／Ｆ３０５に無線通信で送信することにより、当該無線親機では、無線親機モニタボタン３０１が操作された場合と同様、フレームレートが例えば、３０ｆｐｓの高解像度である動画映像の映像信号Ｓ12を、無線親機メモリ３０３に所定の時間、例えば、１０秒間録画させる、すなわち、３００フレーム分の動画映像としてコマ落ちのない状態で録画させることができる。
【００６４】
また、前述のように、玄関子機１ｂの子機メモリ１０２に予め録画されていた映像信号Ｓ12が無線通信で無線親機３ｂに送信され、無線親機メモリ３０３に録画された後において、当該無線親機の使用者である居住者が無線親機再生ボタン３０２を操作すると、この操作を検出した無線親機ＣＰＵ３０６は、無線親機モニタ３００を駆動させて出画状態に制御するとともに、無線親機映像再生回路３０４を制御して、無線親機メモリ３０３から読み出した映像信号Ｓ12を、無線親機モニタ３００に再生させることにより、玄関子機１ｂのカメラ１０１にて生成された映像信号Ｓ12を、フレームレートが例えば、高解像度の３０ｆｐｓであるコマ落ちのない動画映像として、無線親機モニタ３００に再生させることができ、視認性の高い画質が確保される。
【００６５】
本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００６６】
【図１】本発明の第１の実施例によるテレビドアホン装置の具体的な構成を示すブロック図。
【図２】本発明の第２の実施例によるテレビドアホン装置の具体的な構成を示すブロック図。
【符号の説明】
【００６７】
１ａ……玄関子機
１０１……カメラ
１０２……子機メモリ
１０４……子機ＣＰＵ
１ｂ……玄関子機
１０１……カメラ
１０２……子機メモリ
１０６……子機ＣＰＵ
２……居室親機
２００……親機モニタ
２０１……親機モニタボタン（モニタボタン）
２０３……親機メモリ
２０８……親機ＣＰＵ
３ａ、３ｂ……無線親機
３００……無線親機モニタ
３０１……無線親機モニタボタン（モニタボタン）
３０３……無線親機メモリ
３０６……無線親機ＣＰＵ
４……外部ネットワーク
【図１】
2008252271.tif 000003
【図２】
2008252271.tif 000004